(57)【要約】 【課題】  組み立て及び設置作業が容易であると共に、咳やくしゃみの飛沫を遮断できる状態で両隣の人や前方の人と会話をすることができる机上用ついたてを提供する。【解決手段】  机上用ついたて１０は、正面板１ａ、１ｃと、正面板１ａ、１ｃの両端部が略９０度折り曲げられてなる２個の側面板１ｂ、１ｄと、を有しており、正面板１ａ、１ｃと２個の側面板１ｂ、１ｄは、各々、合成樹脂からなる透明な窓部である正面窓部２ａ、２ａと、側面窓部２ｂ、２ｂとを備えており、机の天板上に載置した状態で、側面板の窓部２ｂを机の天板の前縁よりも手前側に突出させることができるように形成されている。【選択図】図１
0003232230.tif 000002
【実用新案登録請求の範囲】
【請求項１】
正面板と、該正面板の両端部が略９０度折り曲げられてなる２個の側面板と、を有する机上用ついたてにおいて、
前記正面板と２個の前記側面板は、各々、合成樹脂からなる透明な窓部を備えており、
机の天板上に載置した状態で、前記側面板の窓部を前記机の天板の前縁よりも手前側に突出させることができるように形成されていることを特徴とする机上用ついたて。
【請求項２】
机の天板に当接する載置部が複数個形成されていると共に、隣り合う前記載置部の間に空間部が形成されていることを特徴とする請求項１に記載の机上用ついたて。
【請求項３】
正面板は、長手方向の中間位置において分割可能に結合されていることを特徴とする請求項１又は２に記載の机上用ついたて。
【請求項４】
正面板と側面板とによって形成される角部には、該角部の角度を固定するための係止片が固定されていることを特徴とする請求項１〜３のいずれか１項に記載の机上用ついたて。
【請求項５】
正面板と２個の側面板は、窓部以外の部分が段ボールで形成されていることを特徴とする請求項１〜４のいずれか１項に記載の机上用ついたて。
【考案の詳細な説明】
【技術分野】
【０００１】
本考案は、机やテーブル等の天板上に載置して仕切るための机上用ついたてに関するものである。
【背景技術】
【０００２】
従来から、簡単な作業で組立てることができ、テーブル板上に載置して、該テーブル板を仕切る間隔を容易に変更することができる間仕切りボードが知られている（特許文献１）。
【０００３】
特許文献１に記載の間仕切りボードは、ボード本体とボード保持具を備え、ボード本体は、テーブル板の長手方向に直交する方向に延びた状態で起立するように構成されており、ボード保持具は、ボード本体が起立した状態を保持するように構成されている。
【先行技術文献】
【特許文献】
【０００４】
【特許文献１】実用新案登録第３２２７２８６号公報
【考案の概要】
【考案が解決しようとする課題】
【０００５】
特許文献１に記載の間仕切りボードは、隣の椅子に座っている人の視線を遮ることはできるものであるが、隣の人の咳やくしゃみの飛沫を遮断するには不十分なものであった。また、両隣や前方に位置する人との間仕切りのためには複数の間仕切りボードをテーブル板上に載置する必要があった。さらに、咳やくしゃみの飛沫を遮断できる状態で両隣の人や前方の人と会話をすることができるというニーズに応えることができるものではなかった。
【０００６】
本考案は、前記従来の課題を解決するものであり、組み立て及び設置作業が容易であると共に、咳やくしゃみの飛沫を遮断できる状態で両隣の人や前方の人と会話をすることができる机上用ついたてを提供することを目的とする。
【課題を解決するための手段】
【０００７】
前記従来の課題を解決するために、請求項１の考案は、正面板と、該正面板の両端部が略９０度折り曲げられてなる２個の側面板と、を有する机上用ついたてにおいて、前記正面板と２個の前記側面板は、各々、合成樹脂からなる透明な窓部を備えており、机の天板上に載置した状態で、前記側面板の窓部を前記机の天板の前縁よりも手前側に突出させることができるように形成されていることを特徴としている。
【０００８】
請求項１の机上用ついたての考案では、正面板と２個の側面板とを有しているので、正面側に位置している人と会話する場合と、両側面側に位置している人と会話をする場合に、咳やくしゃみの飛沫を遮断することができる。また、正面板と２個の側面板には各々透明な窓部を備えているので、顔を見ながら会話することができる。また、２個の側面板の窓部を天板の前縁よりも手前側に突出させることができるように形成されているので、頭の位置が椅子側にある状態で隣の人と会話をする場合においても顔を見ながら会話をすることができると共に、咳やくしゃみの飛沫を遮断することができる。尚、本明細書において使用している「机の天板」の語句には、会議室等で使用されるテーブルの天板も含まれる。
【０００９】
請求項２の考案は、請求項１の考案において、机の天板に当接する載置部が複数個形成されていると共に、隣り合う前記載置部の間に空間部が形成されていることを特徴としている。これにより、机の天板に当接していない空間部から書類等の受け渡しを行うことができる。
【００１０】
請求項３の考案は、請求項１又は２の考案において、正面板は、長手方向の中間位置において分割可能に結合されていることを特徴としている。したがって、机上用ついたてが組み立てられる前は分割されたコンパクトな状態で輸送することができる。
【００１１】
請求項４の考案は、請求項１〜３のいずれかの考案において、正面板と側面板とによって形成される角部には、該角部の角度を固定するための係止片が固定されていることを特徴としている。したがって、係止片によって角部の角度が固定されるので、側面板の外側への拡がりや、内側への狭まりを防ぐことができる。
【００１２】
請求項５の考案は、請求項１〜４のいずれかの考案において、正面板と２個の側面板は、窓部以外の部分が段ボールで形成されていることを特徴としている。したがって、軽量であることから、別の机に載置する場合の移動を容易に行うことができると共に、不要になった場合の廃棄も容易に行うことができる。
【考案の効果】
【００１３】
請求項１の考案は、正面側に位置している人と会話する場合と両側面側に位置している人と会話をする場合に、咳やくしゃみの飛沫を遮断することができる。また、顔を見ながら会話することができる。また、頭の位置が椅子側にある状態で隣の人と会話をする場合においても顔を見ながら会話をすることができる。また、請求項２の考案は、机の天板に当接していない空間部から書類等の受け渡しを行うことができる。
【００１４】
請求項３の考案は、机上用ついたてが組み立てられる前は分割されたコンパクトな状態で輸送することができる。また、請求項４の考案は、側板の外側への拡がりや、内側への狭まりを防ぐことができる。また、請求項５の考案は、別の机に載置する場合の移動を容易に行うことができると共に、不要になった場合の廃棄も容易に行うことができる。
【図面の簡単な説明】
【００１５】
【図１】本考案に係る机上用ついたての斜視図。
【図２】本考案に係る机上用ついたての正面図。
【図３】本考案に係る机上用ついたての平面図。
【図４】本考案に係る机上用ついたての右側面図。
【図５】本考案に係る机上用ついたての左側面図。
【図６】（ａ）本考案に係る机上用ついたてを構成する結合片の正面図。（ｂ）本考案に係る机上用ついたてを構成する係止片の正面図。
【図７】本考案に係る机上用ついたてを構成するついたて板の一部拡大正面図。
【図８】本考案に係る机上用ついたてを構成するついたて板の一部拡大斜視図。
【図９】本考案に係る机上用ついたての使用状態を示す斜視図。
【考案を実施するための形態】
【００１６】
以下、本考案の実施形態について、図面を参照しながら説明する。なお、この実施の形態によって本考案が限定されるものではない。図１は、本考案に係る机上用ついたての斜視図であり、図２は、同正面図、図３は、同平面図、図４は、同右側面図、図５は、同左側面図である。これらの図を用いて本考案に係る机上用ついたての構成について以下に説明する。
【００１７】
本考案に係る机上用ついたて１０は、ついたて板１Ａとついたて板１Ｂとが結合されてなるものであって、正面板１ａ、１ｃと、正面板１ａ、１ｃの両端部が略９０度折り曲げられてなる２個の側面板１ｂ、１ｄと、を有しており、正面板１ａ、１ｃと２個の側面板１ｂ、１ｄは、各々、合成樹脂からなる透明な窓部である正面窓部２ａ、２ａと、側面窓部２ｂ、２ｂとを備えている。尚、正面板１ａ、１ｃと、２個の側面板１ｂ、１ｄの正面窓部２ａ又は側面窓部２ｂ以外の部分が段ボールで形成されている。これにより、机上用ついたて１０を軽量にすることができ、別の机に載置する場合の移動を容易に行うことができると共に、不要になった場合の分解や廃棄を容易に行うことができる。
【００１８】
机上用ついたて１０は、机の天板に当接する載置部６ａ、６ｂ、６ｃ、６ｄが複数個形成されており、正面板１ａ、１ｃに形成されている正面載置部６ａと正面載置部６ｂとの間に２個の正面空間部５ａ、５ａが形成されている。また、側面板１ｂ、１ｄに形成されている側面載置部６ｃと側面載置部６ｄとの間に２個の側面空間部５ｂ、５ｂが形成されている。これにより、正面空間部５ａ及び側面空間部５ｂで書類の受け渡しを行うことができる。
【００１９】
図６（ａ）本考案に係る机上用ついたてを構成する結合片の正面図であり、図６（ｂ）本考案に係る机上用ついたてを構成する係止片の正面図である。また、図７は、本考案に係る机上用ついたてを構成するついたて板の一部拡大正面図であり、図８は、本考案に係る机上用ついたてを構成するついたて板の一部拡大斜視図である。これらの図を用いて本考案に係る机上用ついたての組み立て方について以下に説明する。
【００２０】
ついたて板１Ａ、１Ｂは、正面板１ａ、１ｃの側端部に、上部折り曲げ片３ａ、３ｂと下部折り曲げ片４ａ、４ｂが形成されており、折り曲げ箇所１２を、正面板１ａ、１ｃに対して略９０度となるように前方に折り曲げた後、ついたて板１Ａとついたて板１Ｂの上部折り曲げ片３ａ、３ｂ同士及び下部折り曲げ片４ａ、４ｂ同士を重ね合わせ、上部スリット９ａと下部スリット１１ａに各々結合片７のスリット７ａを差し込むことによって、ついたて板１Ａとついたて板１Ｂは一体化されて、正面板１と正面板１は、同一平面上に位置することとなる。上記構成とすることによって、机上用ついたて１０が組み立てられる前は分割されたコンパクトな状態で輸送することができる。
【００２１】
正面板１ａ、１ｃと側面板１ｂ、１ｄの境界部分には、予め折り曲げ線が形成されており、正面板１ａ、１ｃに対して略９０度の角度となるように側面板１ｂ、１ｄが折り曲げられた後、正面板側の角部に形成されているスリット１３ｂと側面板側の角部に形成されているスリット１３ａに係止片８に形成されているスリット８ａ又は８ｂを差し込むことによって、両側面板１ｂ、１ｄは、正面板１ａ、１ｃ対して略９０度の角度で固定される。これにより、側面板１ｂ、１ｄの外側への拡がりや、内側への狭まりを防ぐことができる。
【００２２】
図９は、本考案に係る机上用ついたての使用状態を示す斜視図である。机上用ついたて１０は、机又はテーブルの天板１４に、正面載置部及び側面載置部が当接するように載置される。この時、側面載置部の中の側面窓部側に位置する側面載置部６ｄが机又はテーブルの天板１４の手前側の前縁近傍に位置するように載置すると、図９に示すように、側面窓部２ｂ側が机又はテーブルの天板１４の手前側の前縁よりも手前側に突出した状態とすることができる。
【００２３】
これにより、隣り合う椅子１５ａ及び１５ｂに座っている人が側面窓部２ｂ越しにお互いの顔を見ながら会話することができると共に、会話中の咳やくしゃみの飛沫を遮断することができるので、感染症の予防にも役立つことができる。また、側面空間部５ｂから書類の受け渡しを行うこともできる。
【産業上の利用可能性】
【００２４】
本考案に係る机上用ついたては、主に机やテーブル等の天板上に載置して空間を仕切るために利用される。
【符号の説明】
【００２５】
１Ａ、１Ｂ  ついたて板
１ａ、１ｃ  正面板
１ｂ、１ｄ  側面板
２ａ  正面窓部
２ｂ  側面窓部
３ａ、３ｂ  上部折り曲げ片
４ａ、４ｂ  下部折り曲げ片
５ａ  正面空間部
５ｂ  側面空間部
６ａ、６ｂ  正面載置部
６ｃ、６ｄ  側面載置部
７  結合片
７ａ  結合片のスリット
８  係止片
８ａ、８ｂ  係止片のスリット
９ａ  上部スリット
１０  机上用ついたて
１１ａ  下部スリット
１２  折り曲げ箇所
１３ａ、１３ｂ  角部のスリット
１４  机（テーブル）の天板
１５ａ、１５ｂ  椅子
【図１】
0003232230.tif 000003
【図２】
0003232230.tif 000004
【図３】
0003232230.tif 000005
【図４】
0003232230.tif 000006
【図５】
0003232230.tif 000007
【図６】
0003232230.tif 000008
【図７】
0003232230.tif 000009
【図８】
0003232230.tif 000010
【図９】
0003232230.tif 000011